(57)【要約】【課題】装置本体外に放射体を引き出すことができない場合でも放射体及び周囲体の少なくとも一方に付着する異物を除去する。【解決手段】穀物乾燥装置１０では、穀物から発生する異物が風胴板１８の風胴上板２４下端部の内側面２４Ａに付着し易い。ここで、掃除体８２の操作レバー８８が回転操作されると共に前後方向へスライド操作されることで、掃除体８２の掃除アーム８６が風胴上板２４下端部の内側面２４Ａに対し当接されると共に前後方向へ摺動される。これにより、掃除アーム８６によって風胴上板２４下端部の内側面２４Ａから異物を除去でき、機体１２の前側に遠赤外線放射体７４を引き出すことができない場合でも、風胴上板２４下端部の内側面２４Ａから異物を除去できる。【選択図】図５
2014025639.tif 000002
【特許請求の範囲】
【請求項１】
穀物が収容される装置本体と、
前記装置本体内に設けられ、遠赤外線を放射することで穀物が乾燥される放射体と、
前記放射体の周囲に設けられた周囲体と、
前記装置本体外に配置される操作部が設けられると共に、前記操作部に連絡される除去部が設けられ、前記操作部が操作されることで前記放射体及び前記周囲体の少なくとも一方に付着する異物が前記除去部によって除去される除去手段と、
を備えた穀物乾燥装置。
【請求項２】
前記操作部の操作を禁止する禁止手段を備えた請求項１記載の穀物乾燥装置。
【請求項３】
前記禁止手段が前記操作部の操作を禁止した際に前記除去部が前記放射体及び前記周囲体から離間される請求項２記載の穀物乾燥装置。
【発明の詳細な説明】
【技術分野】
【０００１】
本発明は、放射体が遠赤外線を放射することで穀物が乾燥される穀物乾燥装置に関する。
【背景技術】
【０００２】
下記特許文献１に記載の穀物乾燥機では、本体の集穀室内又は熱風室内に放熱管が設けられており、集穀室内又は熱風室内や放熱管のメンテナンスの際には、本体の前側に放熱管が引き出される。
【０００３】
しかしながら、この穀物乾燥機では、本体の設置室の側壁が本体の前側近傍に配置される場合や放熱管の重量が大きい場合に、本体の前側に放熱管を引き出すことができず、集穀室内又は熱風室内や放熱管のメンテナンスが困難になる可能性がある。
【先行技術文献】
【特許文献】
【０００４】
【特許文献１】特開平１０−２８８４６２号公報
【発明の概要】
【発明が解決しようとする課題】
【０００５】
本発明は、上記事実を考慮し、装置本体外に放射体を引き出すことができない場合でも放射体及び周囲体の少なくとも一方に付着する異物を除去できる穀物乾燥装置を得ることが目的である。
【課題を解決するための手段】
【０００６】
請求項１に記載の穀物乾燥装置は、穀物が収容される装置本体と、前記装置本体内に設けられ、遠赤外線を放射することで穀物が乾燥される放射体と、前記放射体の周囲に設けられた周囲体と、前記装置本体外に配置される操作部が設けられると共に、前記操作部に連絡される除去部が設けられ、前記操作部が操作されることで前記放射体及び前記周囲体の少なくとも一方に付着する異物が前記除去部によって除去される除去手段と、を備えている。
【０００７】
請求項２に記載の穀物乾燥装置は、請求項１に記載の穀物乾燥装置において、前記操作部の操作を禁止する禁止手段を備えている。
【０００８】
請求項３に記載の穀物乾燥装置は、請求項２に記載の穀物乾燥装置において、前記禁止手段が前記操作部の操作を禁止した際に前記除去部が前記放射体及び前記周囲体から離間される。
【発明の効果】
【０００９】
請求項１に記載の穀物乾燥装置では、装置本体に穀物が収容されて、装置本体内の放射体が遠赤外線を放射することで、穀物が乾燥される。また、放射体の周囲に周囲体が設けられている。
【００１０】
ここで、除去手段の操作部が装置本体外に配置されると共に、除去手段の除去部が操作部に連絡されており、操作部が操作されることで、放射体及び周囲体の少なくとも一方に付着する異物が除去部によって除去される。このため、装置本体外に放射体を引き出すことができない場合でも、放射体及び周囲体の少なくとも一方に付着する異物を除去できる。
【００１１】
請求項２に記載の穀物乾燥装置では、禁止手段が除去手段の操作部の操作を禁止する。このため、不要に操作部が操作されることを抑制できる。
【００１２】
請求項３に記載の穀物乾燥装置では、禁止手段が除去手段の操作部の操作を禁止した際に、除去手段の除去部が放射体及び周囲体から離間される。このため、除去部が放射体又は周囲体に接触して当該接触部分に異物が付着し易くなることを抑制できる。
【図面の簡単な説明】
【００１３】
【図１】本発明の実施の形態に係る穀物乾燥装置を示す左方から見た断面図である。
【図２】本発明の実施の形態に係る穀物乾燥装置を示す前方から見た断面図（図１の２−２線断面図）である。
【図３】本発明の実施の形態に係る穀物乾燥装置を示す上方から見た断面図（図１の３−３線断面図）である。
【図４】本発明の実施の形態に係る穀物乾燥装置を示す前斜め右方から見た斜視図である。
【図５】本発明の実施の形態に係る穀物乾燥装置の下側部分を示す前斜め左方から見た分解斜視図である。
【図６】本発明の実施の形態に係る穀物乾燥装置の下部を示す前斜め左方から見た分解斜視図である。
【図７】本発明の実施の形態に係る穀物乾燥装置における掃除体の固定状況を示す前斜め左方から見た斜視図である。
【図８】本発明の実施の形態に係る穀物乾燥装置における遠赤外線放射体及び掃除体等を示す前斜め右方から見た斜視図である。
【図９】（Ａ）及び（Ｂ）は、本発明の実施の形態に係る穀物乾燥装置における掃除体による掃除状況を示す前斜め右方から見た斜視図である。
【図１０】本発明の実施の形態に係る穀物乾燥装置における掃除体による掃除状況を示す前斜め上方から見た斜視図である。
【発明を実施するための形態】
【００１４】
図１には、本発明の実施の形態に係る穀物乾燥装置１０（穀物遠赤外線乾燥装置）が左方から見た断面図にて示されており、図２には、穀物乾燥装置１０が前方から見た断面図（図１の２−２線断面図）にて示されている。さらに、図３には、穀物乾燥装置１０が上方から見た断面図（図１の３−３線断面図）にて示されており、図４には、穀物乾燥装置１０が前斜め右方から見た斜視図にて示されている。なお、図面では、穀物乾燥装置１０の前方を矢印ＦＲで示し、穀物乾燥装置１０の右方を矢印ＲＨで示し、穀物乾燥装置１０の上方を矢印ＵＰで示す。
【００１５】
図１〜図４に示す如く、本実施の形態に係る穀物乾燥装置１０は、装置本体としての機体１２を備えており、機体１２は、上下に高く前後に長い直方体箱状とされている。機体１２は、例えば、上下方向寸法が約７ｍ、左右方向寸法が約１．６ｍ、前後方向寸法が約３．５ｍにされている。
【００１６】
機体１２内の上側部分は、収容室を構成する穀槽１４とされており、穀槽１４内には、穀物Ｋ（例えば籾）が貯留（収容）される。
【００１７】
機体１２内の下側部分には、右側及び左側において、一対の排風路隔壁１６が設けられており、排風路隔壁１６は、通気性を有すると共に、機体１２の周囲体を構成する前面板と後面板との間に架け渡されている。排風路隔壁１６は、上下方向中間部が上下方向に配置されると共に、上部及び下部が機体１２の側面板から左右方向中央へ向けて下方に傾斜されており、一対の排風路隔壁１６は、漏斗状とされている。
【００１８】
一対の排風路隔壁１６間には、周囲体を構成する風胴板１８が設けられており、風胴板１８は、通気性を有すると共に、略六角形筒状とされている。風胴板１８は、機体１２の前面板と後面板との間に架け渡されると共に、風胴板１８の上下方向中間部及び下部は、対向する排風路隔壁１６に平行とされており、風胴板１８の内部は、送風路２０とされている。機体１２の前面板には、送風路２０に対応して、略矩形状の外気入口２２が形成されており、外気入口２２は、送風路２０に連通している。
【００１９】
図５及び図６に示す如く、風胴板１８の下端部を除く部分は、風胴上板２４にされると共に、風胴板１８の下端部は、風胴下板２６にされており、風胴板１８は、風胴下板２６の下端において、内部が下方に開放されている。風胴下板２６の右側部分と左側部分との間には、周囲体を構成する逆台形板状の下支持板２８が複数架け渡されており、複数の下支持板２８は、それぞれ前後方向に垂直にされると共に、前後方向に等間隔に配置されている。
【００２０】
風胴板１８の上部と各排風路隔壁１６の上部との間には、導風路隔壁３０が設けられており、導風路隔壁３０は、通気性を有すると共に、略菱形筒状とされている。導風路隔壁３０は、機体１２の前面板と後面板との間に架け渡されており、導風路隔壁３０の内部は、導風路３２とされている。導風路隔壁３０の下側部分は、対向する排風路隔壁１６に平行とされると共に、対向する風胴板１８に平行とされている。
【００２１】
風胴板１８の左方及び右方には、風胴板１８と導風路隔壁３０との間、導風路隔壁３０と排風路隔壁１６との間、及び、風胴板１８と排風路隔壁１６との間において、収容室を構成する穀物流下路３４が形成されており、穀物流下路３４には、穀槽１４内に貯留された穀物Ｋが流下（流動）する。
【００２２】
一対の穀物流下路３４の下端間には、風胴板１８の下端（風胴下板２６の下端）の直下において、流動手段及び周囲体を構成する繰出手段としての円筒状のシャッタドラム３６が設けられており、シャッタドラム３６は、各穀物流下路３４の下端を略閉塞すると共に、機体１２の前面板と後面板との間に架け渡されて軸回りに回転可能とされている。シャッタドラム３６の外周には、軸方向に長尺とされた矩形状のスリット３８が一対形成されており、一方のスリット３８はシャッタドラム３６外周の前側に配置されると共に、他方のスリット３８は、シャッタドラム３６外周の後側かつ一方のスリット３８の周方向反対側に配置されている。ここで、シャッタドラム３６が回転してスリット３８が穀物流下路３４の下端に対面することで、穀物流下路３４内の穀物Ｋがスリット３８を経てシャッタドラム３６内に流入し、更にシャッタドラム３６が回転してスリット３８が下向きとなることで、シャッタドラム３６内に流入した穀物Ｋが下方へ排出される。
【００２３】
図５及び図６に示す如く、各排風路隔壁１６の下方には、張込流し板４０が設けられており、張込流し板４０は、機体１２の前面板と後面板との間に架け渡されている。一対の張込流し板４０は、それぞれ機体１２の側面板から左右方向中央へ向けて下方に傾斜されて、漏斗状とされている。また、機体１２の側面板及び張込流し板４０と排風路隔壁１６との間は、排風路４２とされている。
【００２４】
機体１２の各側面板下部には、張込ホッパ４４が開閉可能に設けられており、張込ホッパ４４が開放されることで、機体１２内へ穀物Ｋを張り込み（供給）可能とされている。ここで、シャッタドラム３６から排出された穀物Ｋ又は張込ホッパ４４から張り込まれた穀物Ｋは、一対の張込流し板４０の下端間に流下する。
【００２５】
一対の張込流し板４０の下端間には、流動手段を構成する下スクリューコンベヤ４６が設けられており、下スクリューコンベヤ４６は、後端が機体１２の後面板に固定されると共に、前端が機体１２の前面から前方に突出している。下スクリューコンベヤ４６は、長尺樋状の下搬送樋４８を有しており、機体１２外における下搬送樋４８の上面及び前面は、閉塞されている。機体１２内における下搬送樋４８は、排風路４２に連通されており、下搬送樋４８内には、一対の張込流し板４０の下端間に到達した穀物Ｋが流下する。下搬送樋４８内には、下スクリュー５０が設けられており、下搬送樋４８内に流下した穀物Ｋが下スクリュー５０によって前方へ搬送される。また、下搬送樋４８の下壁及び右側壁は、下搬送樋４８の左側壁に対し回動可能にされており、下搬送樋４８の下壁及び右側壁が下搬送樋４８の左側壁に対し回動されることで、下搬送樋４８内が下側及び右側に開放される。
【００２６】
機体１２の右側部分の前方には、流動手段を構成する昇降機５２が立設されており、昇降機５２の上部は、機体１２の上面板よりも上方へ突出している。昇降機５２内には、無端ベルト５４が配置されており、無端ベルト５４には、バケット５６が一定間隔で取り付けられている。昇降機５２内の下端は、下搬送樋４８内の前端に連通されており、下スクリューコンベヤ４６（下搬送樋４８内の前端）から排出されて昇降機５２内の下端に堆積した穀物Ｋが、無端ベルト５４の回転によりバケット５６によって昇降機５２内の上端まで持上搬送される。
【００２７】
機体１２の上端には、流動手段を構成する上スクリューコンベヤ５８が設けられており、上スクリューコンベヤ５８は、後端が機体１２の上面板中央直下に配置されると共に、前端が機体１２の前面板から突出している。上スクリューコンベヤ５８は、長尺樋状の上搬送樋６０を有しており、上搬送樋６０の後端下面は、開放されている。上搬送樋６０内の前端は、昇降機５２内の上端に連通されており、昇降機５２内の上端まで搬送された穀物Ｋが上搬送樋６０内の前端に流下する。上搬送樋６０内には、上スクリュー６２が設けられており、上搬送樋６０内の前端に流下した穀物Ｋが上スクリュー６２によって後方へ搬送される。また、上搬送樋６０内の前端は、排出管６４に連通可能とされており、上搬送樋６０内の前端が排出管６４に連通された際には、上搬送樋６０内の前端に流下した穀物Ｋが排出管６４を経て穀物乾燥装置１０から排出される。
【００２８】
上スクリューコンベヤ５８後端の下方には、流動手段を構成する円盤状の均分機６６が回転可能に設けられており、上スクリューコンベヤ５８の後端（上搬送樋６０内の後端）に搬送された穀物Ｋが、回転される均分機６６の上面に流下することで、遠心力によって穀槽１４内へ均等に放散分配される。
【００２９】
機体１２の前面下部には、昇降機５２の左側において、略矩形筒状の火炉ケース６８が設けられており、火炉ケース６８内は、上記外気入口２２に連通されている。火炉ケース６８の前側は、略矩形板状の火炉カバー７０によって被覆されており、火炉カバー７０は、火炉ケース６８から取り外し可能にされている。火炉カバー７０には、スリット状の外気導入口７２が複数形成されており、火炉ケース６８内は、外気導入口７２を介して機体１２外に連通されている。
【００３０】
上記風胴板１８内（送風路２０）には、放射体を構成する放射管としての遠赤外線放射体７４が配置されている。遠赤外線放射体７４は、円管状に形成されると共に、全体としてＵ字形に曲げられており、遠赤外線放射体７４は、上側部分及び下側部分が前後方向に延伸されると共に、上側端及び下側端が外気入口２２側に配置されている。遠赤外線放射体７４は、下側部分が上側部分に対し拡径されており、遠赤外線放射体７４の下側端には、挿入筒７４Ａが縮径されて形成されている。
【００３１】
遠赤外線放射体７４の下側には、放射体を構成する断面逆Ｖ字形長尺板状の上レール７６が一対固定されており、一対の上レール７６は、それぞれ前後方向に延伸されると共に、左右方向に並べられている。
【００３２】
図５〜図８に示す如く、風胴板１８内の下部には、周囲体を構成する断面逆Ｖ字形長尺板状の下レール７８が一対配置されており、一対の下レール７８は、それぞれ風胴板１８の前端から後端近傍において前後方向に延伸されると共に、左右方向に並べられている。一対の下レール７８は、周囲体を構成する複数の矩形状の支持板８０の上側に支持されており、複数の支持板８０は、それぞれ前後方向に垂直にされると共に、前後方向に間隔を開けて配置されている。支持板８０は、風胴下板２６内の下支持板２８に部分的に重合された状態で固定されており、一対の下レール７８は、支持板８０及び下支持板２８を介して風胴下板２６に支持されている。上レール７６は、下レール７８上に載置されており、これにより、遠赤外線放射体７４が風胴板１８内（送風路２０）に配置されている。
【００３３】
風胴板１８内の下部には、除去手段としての掃除体８２が一対設けられている。
【００３４】
掃除体８２には、連絡部としての長尺棒状の掃除レバー８４が設けられており、各掃除体８２の掃除レバー８４は、それぞれ前後方向へ延伸されると共に、左右方向において互いに離間されている。掃除レバー８４は、下支持板２８、支持板８０及び機体１２の前面板に貫通されて支持されており、掃除レバー８４は、前後方向にスライド（移動）可能にされる共に、軸周りに回転可能にされている。
【００３５】
掃除レバー８４には、除去部（掃除部）としての長尺板状の掃除アーム８６が所定数（本実施の形態では５個）設けられており、掃除アーム８６は、掃除レバー８４と一体に、前後方向にスライド（移動）可能にされる共に、回転（回動）可能にされている。所定数の掃除アーム８６は、前後方向において互いに離間されて配置されており、最も後側の掃除アーム８６は、風胴板１８の後端部に配置されている。掃除アーム８６は、掃除レバー８４の径方向外側へ延出されており、掃除アーム８６は、先端側部分が基端側部分に対し上側に屈曲されている。
【００３６】
掃除レバー８４の前端には、操作部としてのＬ字形棒状の操作レバー８８が設けられており、操作レバー８８は、掃除レバー８４と一体に、前後方向にスライド（移動）可能にされる共に、回転（回動）可能にされている。操作レバー８８には、禁止手段としてのノブボルト９０が貫通されており、ノブボルト９０が機体１２の前面板側のナット（図示省略）に螺合されることで、掃除体８２（操作レバー８８）が機体１２の前面板に固定されている。これにより、掃除体８２（掃除レバー８４、掃除アーム８６及び操作レバー８８）の前後方向へのスライド及び回転が係止（禁止）されており、掃除アーム８６は、風胴板１８、下支持板２８、遠赤外線放射体７４、上レール７６、下レール７８、支持板８０、機体１２の前面板及び後面板に対し離間されている。
【００３７】
図９の（Ａ）及び（Ｂ）と図１０とに示す如く、ノブボルト９０が機体１２の前面板側のナットから取外されることで、掃除体８２（掃除レバー８４、掃除アーム８６及び操作レバー８８）が、前後方向へスライド可能にされると共に、回転可能にされる。これにより、操作レバー８８が把持された状態で、操作レバー８８が回転操作されることで掃除アーム８６の先端側部分が風胴板１８の風胴上板２４下端部（風胴下板２６の直上部分）の内側面２４Ａに当接（面接触又は線接触）された後に、操作レバー８８が前後方向へスライド操作されることで掃除アーム８６の先端側部分が風胴上板２４下端部の内側面２４Ａを前後方向へ摺動される。
【００３８】
図１〜図３に示す如く、遠赤外線放射体７４の下側端には、乾燥風生成手段としてのバーナ９２が固定されており、バーナ９２は、先端側の燃焼筒９２Ａが遠赤外線放射体７４の挿入筒７４Ａに挿入されると共に、火炉ケース６８内に配置されている。
【００３９】
遠赤外線放射体７４の上側端は、排気口９４にされて、上記外気入口２２の近傍において外気入口２２に対向されており、バーナ９２によって発生した熱風（加熱された空気流）は、遠赤外線放射体７４を加熱しながら、排気口９４から送風路２０内に放出される。さらに、遠赤外線放射体７４が当該熱風によって加熱されることで、遠赤外線放射体７４から遠赤外線が放射されて、送風路２０内の空気が加熱される。
【００４０】
機体１２の後面下部には、直方体箱状の送風機取付台９６が設けられており、送風機取付台９６内は、上記各排風路４２に連通されている。送風機取付台９６の後面には、送風機９８の前端が取り付けられており、送風機９８の後端には、可撓性を有する排風ダクト１００の一端が取り付けられている。
【００４１】
これにより、送風機９８が駆動されることで、常温の外気（常温風）が、火炉カバー７０の外気導入口７２から火炉ケース６８内及び外気入口２２を経て送風路２０内に吸引流入され、さらに、風胴板１８、穀物流下路３４、排風路隔壁１６、排風路４２及び送風機取付台９６内を経て送風機９８内に吸引送風され、かつ、排風ダクト１００を経て排風される。また、穀物流下路３４の上部を送風される外気は、導風路隔壁３０及び導風路３２を通過する。
【００４２】
さらに、遠赤外線放射体７４の排気口９４から送風路２０内に放出された熱風及び遠赤外線放射体７４から放射された遠赤外線によって加熱された送風路２０内の外気が混合されて、乾燥風が生成されることで、乾燥風が穀物流下路３４を通過する。
【００４３】
図４に示す如く、機体１２の前面下部には、火炉ケース６８の左側部分の直下において、制御手段としての操作盤１０２（制御装置）が設けられており、操作盤１０２は、穀物乾燥装置１０の各駆動部に接続されている。操作盤１０２には、張込運転スイッチ、乾燥運転スイッチ、排出運転スイッチ及び停止スイッチ等の各種の操作スイッチ（図示省略）が設けられており、操作盤１０２の各種の操作スイッチが操作されることで、穀物乾燥装置１０が操作盤１０２によって制御（運転及び停止等）される。
【００４４】
次に、本実施の形態の作用を説明する。
【００４５】
以上の構成の穀物乾燥装置１０では、操作盤１０２の張込運転スイッチを運転操作すると、下スクリューコンベヤ４６、昇降機５２、上スクリューコンベヤ５８及び均分機６６が駆動されて、張込運転が開始され、その後、張込ホッパ４４を開放して、刈り取ってきた穀物Ｋを機体１２内へ張り込む。機体１２内へ張込まれた穀物Ｋは、張込流し板４０によって下スクリューコンベヤ４６に案内され、下スクリューコンベヤ４６から昇降機５２、上スクリューコンベヤ５８及び均分機６６を経て、穀槽１４内及び各穀物流下路３４へ搬送される（貯留される）。
【００４６】
張込運転が終了した後に、操作盤１０２の乾燥運転スイッチを運転操作すると、シャッタドラム３６、下スクリューコンベヤ４６、昇降機５２、上スクリューコンベヤ５８、均分機６６及び送風機９８が駆動されると共に、バーナ９２が点火されて、乾燥運転が開始される。
【００４７】
乾燥運転では、シャッタドラム３６、下スクリューコンベヤ４６、昇降機５２、上スクリューコンベヤ５８及び均分機６６が駆動されることで、穀槽１４内に貯留された穀物Ｋが、穀物流下路３４、シャッタドラム３６、下スクリューコンベヤ４６、昇降機５２、上スクリューコンベヤ５８及び均分機６６を経て穀槽１４に戻され、穀物乾燥装置１０内を循環される。
【００４８】
さらに、機体１２外の常温の外気が、送風機９８の駆動により、火炉カバー７０の外気導入口７２から火炉ケース６８内に吸引導入されると共に、機体１２前面板の外気入口２２を介して風胴板１８内（送風路２０内）に吸引導入されることで、バーナ９２によって発生された熱風が遠赤外線放射体７４の排気口９４から送風路２０内に放出されると共に、遠赤外線放射体７４が当該熱風によって加熱され遠赤外線を放射して送風路２０内の外気が加熱される。このため、送風路２０内において乾燥風が生成され、この乾燥風が風胴板１８を介して穀物流下路３４へ吸引送風されて穀物流下路３４内の穀物Ｋの水分を吸収することで、穀物Ｋが乾燥される。穀物Ｋの水分を吸収した後の乾燥風は、排風路隔壁１６、排風路４２及び送風機取付台９６内を経て（通過して）送風機９８に吸引送風され、さらに、排風ダクト１００を経て排風される。
【００４９】
乾燥運転が終了した後に、操作盤１０２の排出運転スイッチを運転操作すると、シャッタドラム３６、下スクリューコンベヤ４６、昇降機５２、上スクリューコンベヤ５８及び均分機６６が駆動されて、排出運転が開始され、さらに、上搬送樋６０内の前端が排出管６４に連通されることで、穀物Ｋが排出管６４を経て穀物乾燥装置１０から排出される。
【００５０】
ところで、穀物乾燥装置１０の乾燥運転時には、穀物Ｋから異物（埃や枝梗等）が発生する（脱落される）。穀物流下路３４から排風路隔壁１６を通過した異物は、排風路４２及び送風機取付台９６内を介して送風機９８に吸引されて排風ダクト１００を介して排出され、又は、排風路４２を介して張込流し板４０上に付着する。穀物流下路３４から風胴板１８を通過した異物は、送風路２０を介してシャッタドラム３６の周面に落下して穀物Ｋと共にシャッタドラム３６内、下スクリューコンベヤ４６、昇降機５２、上スクリューコンベヤ５８及び均分機６６を介して穀槽１４に戻され、又は、送風路２０を介して風胴板１８の風胴上板２４下端部の内側面２４Ａに付着する。
【００５１】
張込流し板４０上に付着した異物は、例えば下搬送樋４８の下壁及び右側壁が下搬送樋４８の左側壁に対し回動されて下搬送樋４８内が下側及び右側に開放されることで、容易に除去及び排出可能にされている。一方、風胴板１８の風胴上板２４下端部の内側面２４Ａに付着した異物は、堆積し易い。
【００５２】
このため、火炉ケース６８から火炉カバー７０が取り外された後に、遠赤外線放射体７４下側の上レール７６が風胴板１８内の下レール７８に対し前側へスライドされて、遠赤外線放射体７４が機体１２前面板の外気入口２２及び火炉ケース６８内を介して機体１２の前側に引き出される。これにより、遠赤外線放射体７４に阻害されずに、火炉ケース６８内及び外気入口２２を介して、風胴上板２４下端部の内側面２４Ａから異物を除去できる（風胴上板２４下端部の内側面２４Ａを掃除できる）。
【００５３】
しかしながら、穀物乾燥装置１０の設置室の側壁が機体１２の前側近傍に配置される場合や遠赤外線放射体７４の重量が大きい場合には、機体１２の前側に遠赤外線放射体７４を引き出すことができず、風胴上板２４下端部の内側面２４Ａからの異物の除去が困難になる可能性がある。
【００５４】
ここで、穀物乾燥装置１０には、一対の掃除体８２（掃除レバー８４、掃除アーム８６及び操作レバー８８）が設けられており、穀物乾燥装置１０から穀物Ｋが排出された後に、ノブボルト９０が機体１２の前面板側のナットから取外されることで、掃除体８２が、前後方向へスライド可能にされると共に、回転可能にされる。
【００５５】
このため、掃除体８２の操作レバー８８が把持された状態で、操作レバー８８が回転操作されることで掃除体８２の掃除アーム８６の先端側部分が風胴上板２４下端部の内側面２４Ａに当接されて風胴上板２４の下端部が衝撃により振動されると共に、操作レバー８８が前後方向へスライド操作されることで掃除アーム８６の先端側部分が風胴上板２４下端部の内側面２４Ａを前後方向へ摺動される。これにより、掃除アーム８６によって風胴上板２４下端部の内側面２４Ａから異物を除去できて、異物をシャッタドラム３６の周面に落下させることができる。さらに、下搬送樋４８の下壁及び右側壁が下搬送樋４８の左側壁に対し回動されて下搬送樋４８内が下側及び右側に開放されると共に、操作盤１０２の排出運転スイッチが運転操作されることで、シャッタドラム３６の周面に落下された異物をシャッタドラム３６内及び下搬送樋４８内を介して落下させて機体１２外に排出できる。
【００５６】
したがって、機体１２の前側に遠赤外線放射体７４を引き出すことができない場合でも、風胴上板２４下端部の内側面２４Ａから異物を除去できると共に、異物を機体１２外に排出できる。
【００５７】
さらに、掃除体８２では、操作レバー８８が後方へスライド操作されることで、最も後側の掃除アーム８６が風胴板１８の後端部に到達可能にされている。このため、当該掃除アーム８６が風胴上板２４下端部の内側面２４Ａの後端部（外気入口２２から最も離間した部分）からも異物を除去でき、風胴上板２４下端部の内側面２４Ａから異物を効果的に除去できると共に、異物を機体１２外に効果的に排出できる。
【００５８】
また、穀物乾燥装置１０の通常時（風胴上板２４下端部の内側面２４Ａの掃除時以外）には、ノブボルト９０が操作レバー８８に貫通されて機体１２の前面板側のナットに螺合されることで、掃除体８２の前後方向へのスライド及び回転が係止される。このため、不要に掃除体８２（操作レバー８８）が操作されることを抑制できる。
【００５９】
さらに、ノブボルト９０によって掃除体８２の前後方向へのスライド及び回転が係止された際には、掃除アーム８６が風胴板１８、下支持板２８、遠赤外線放射体７４、上レール７６、下レール７８、支持板８０、機体１２の前面板及び後面板に対し離間される。このため、掃除アーム８６が風胴板１８、下支持板２８、遠赤外線放射体７４、上レール７６、下レール７８、支持板８０、機体１２の前面板又は後面板に接触して当該接触部分に異物が付着し易くなることを防止できる。
【００６０】
なお、本実施の形態では、掃除体８２（掃除アーム８６）が風胴上板２４下端部の内側面２４Ａから異物を除去可能にした。しかしながら、掃除体８２（掃除アーム８６）が他の部位（風胴板１８の他の部分、下支持板２８、シャッタドラム３６、遠赤外線放射体７４、上レール７６、下レール７８、支持板８０、機体１２の前面板又は後面板）から異物を除去可能にしてもよい。
【符号の説明】
【００６１】
１０    穀物乾燥装置
１２    機体（装置本体）
１８    風胴板（周囲体）
２８    下支持板（周囲体）
３６    シャッタドラム（周囲体）
７４    遠赤外線放射体（放射体）
７６    上レール（放射体）
７８    下レール（周囲体）
８０    支持板（周囲体）
８２    掃除体（除去手段）
８６    掃除アーム（除去部）
８８    操作レバー（操作部）
９０    ノブボルト（禁止手段）
Ｋ    穀物
【図１】
2014025639.tif 000003
【図２】
2014025639.tif 000004
【図３】
2014025639.tif 000005
【図４】
2014025639.tif 000006
【図５】
2014025639.tif 000007
【図６】
2014025639.tif 000008
【図７】
2014025639.tif 000009
【図８】
2014025639.tif 000010
【図９】
2014025639.tif 000011
【図１０】
2014025639.tif 000012